(57)【要約】【課題】絶縁性シートの互いに異なる面にそれぞれ被接続端子を有した被接続基板を接続対象とするフレキシブルプリント基板をより安価に提供すること。【解決手段】各絶縁性シート４２ａ，４２ｂの互いに対向する面にそれぞれ被接続端子４５ａを有したメンブレンシート４２を接続対象とし、絶縁体からなるベースフィルム１２の一端部表面にそれぞれに被接続端子４５ａに接続される接続端子２５を有したフレキシブルプリント基板１１であって、ベースフィルム１２は、その一端縁から形成したスリット２１を介して互いに隣り合う第一片部２２及び第二片部２３を有し、第一片部２２及び第二片部２３は、それぞれベースフィルム１２の同一側となる表面に被接続端子４５ａに接続するための接続端子２５を有したものであり、これらの接続端子２５が外側に配置されるようにスリット２１を介して二つ折りに重ねて接着したことを特徴とする。【選択図】        図１
2010287658.tif 000002
【特許請求の範囲】
【請求項１】
絶縁性シートの互いに異なる面にそれぞれ被接続端子を有した被接続基板を接続対象とし、絶縁性を有したベースフィルムの一端部表面にそれぞれ前記絶縁性シートの各被接続端子に接続される接続端子を有したフレキシブルプリント基板であって、
前記ベースフィルムは、その一端縁から形成したスリットを介して互いに隣り合う第一片部及び第二片部を有し、
前記第一片部及び前記第二片部は、それぞれベースフィルムの同一側となる表面に被接続端子に接続するための接続端子を有したものであり、これらの接続端子が互いに異なる面に配置されるように前記スリットを介して二つ折りに重ねて接着したことを特徴とするフレキシブルプリント基板。
【請求項２】
前記第一片部の接続端子と前記第二片部の接続端子とが互いに外側に配置される態様でこれら第一片部及び第二片部を二つ折りに重ねることを特徴とする請求項１に記載のフレキシブルプリント基板。
【請求項３】
前記第一片部及び前記第二片部は、前記ベースフィルムの一端部側に前記接続端子を設けた端子部を有し、かつ該端子部よりも基端側であって所定の非接着領域を確保した部位に接着部を有し、該接着部において互いに接着したものであることを特徴とする請求項１に記載のフレキシブルプリント基板。
【発明の詳細な説明】
【技術分野】
【０００１】
本発明は、絶縁性シートの互いに異なる面にそれぞれ被接続端子を有した被接続基板を接続対象とするフレキシブルプリント基板に関するものである。
【背景技術】
【０００２】
従来、ノートパソコン等に備えられているキーボードユニットには、メンブレンシートと称される被接続基板が使用されている。このメンブレンシート１は、図１１に示すように、互いに対向する一対の上側絶縁性シート２及び下側絶縁性シート３を有した２層構造となっている。上側絶縁性シート２と下側絶縁性シート３とには、互いに対向する面に配線が施されているとともに、必要箇所が絶縁されており、キーの押下によって互いに対向する接点が接触するようになっている。
【０００３】
メンブレンシート１の端部には、外部に信号を出力する接続部が形成されている。この接続部は、上側絶縁性シート２に配設された被接続端子４と、下側絶縁性シート３に配設された被接続端子４とが対向するように配置された構造となっている。
【０００４】
このメンブレンシート１の接続部に接続されるフレキシブルプリント基板８には、メンブレンシート１の接続部に対応するように、ベースフィルム５の両面にそれぞれ接続端子６ａが設けられている必要がある。このため、従来においては、絶縁体からなるベースフィルム５の両面に配線パターン６を印刷することによってベースフィルム５の両面に接続端子６ａを設けるようにしていた。
【先行技術文献】
【特許文献】
【０００５】
【特許文献１】実用新案登録第３０９８７８２号公報
【発明の概要】
【発明が解決しようとする課題】
【０００６】
しかし、ベースフィルム５の両面に配線パターン６を印刷したフレキシブルプリント基板８は、図１１に示すように、配線パターン６の表面にそれぞれ保護層７を設ける必要があるため、構造が複雑になる等の問題がある。例えば、上述したメンブレンシートを接続対象とする場合には、都合５層の構造から成るフレキシブルプリント基板を用意しなければならず、片面印刷のフレキシブルプリント基板と比べて製造コストが著しく高価になるという問題があった。
【０００７】
尚、上述したような構造が複雑となる問題は、一対の絶縁性シート２，３の互いに対向する面に被接続端子４を有したものを接続対象とする場合に限らず、一枚の絶縁性シートの両面にそれぞれ被接続端子を有したもの等、絶縁性シートの互いに異なる面にそれぞれ被接続端子を有した被接続基板を接続対象とするフレキシブルプリント基板であれば、同様に起こり得るものである。
【０００８】
そこで、本発明はこのような従来の問題に鑑み、製造コストが高価になる等の問題を招来することなく絶縁性シートの互いに異なる面にそれぞれ被接続端子を有した被接続基板を接続対象とするフレキシブルプリント基板を提供することを目的とする。
【課題を解決するための手段】
【０００９】
上述した課題を解決し、所期の目的を達成するための本発明にかかるフレキシブルプリント基板は、絶縁性シートの互いに異なる面にそれぞれ被接続端子を有した被接続基板を接続対象とし、絶縁性を有したベースフィルムの一端部表面にそれぞれ前記絶縁性シートの各被接続端子に接続される接続端子を有したフレキシブルプリント基板であって、前記ベースフィルムは、その一端縁から形成したスリットを介して互いに隣り合う第一片部及び第二片部を有し、前記第一片部及び前記第二片部は、それぞれベースフィルムの同一側となる表面に被接続端子に接続するための接続端子を有したものであり、これらの接続端子が互いに異なる面に配置されるように前記スリットを介して二つ折りに重ねて接着したことを特徴とする。
【００１０】
また、本発明の好ましい態様によれば、前記第一片部の接続端子と前記第二片部の接続端子とが互いに外側に配置される態様でこれら第一片部及び第二片部を二つ折りに重ねることが望ましい。
【００１１】
また、本発明の好ましい態様によれば、前記第一片部及び前記第二片部は、前記ベースフィルムの一端部側に前記接続端子を設けた端子部を有し、かつ該端子部よりも基端側であって所定の非接着領域を確保した部位に接着部を有し、該接着部において互いに接着したものであることが望ましい。
【発明の効果】
【００１２】
本発明によれば、ベースフィルムの同一側となる表面に接続端子を設け、これらの接続端子が互いに異なる面に配置されるようにスリットを介して第一片部と第二片部とを二つ折りに重ねて接着すれば良いため、構造が簡単な片面印刷のフレキシブルプリント基板によって、メンブレンシート等、絶縁性シートの互いに異なる面にそれぞれ被接続端子を有した被接続基板に接続することが可能となる。
【図面の簡単な説明】
【００１３】
【図１】図１は、本発明の実施の形態にかかるフレキシブルプリント基板を示す平面図である。
【図２】図２は、同上のフレキシブルプリント基板の裏面を示す平面図である。
【図３】図３は、同上のフレキシブルプリント基板のキーボード接続部を二つ折りにした状態を示す平面図である。
【図４】図４は、同上のフレキシブルプリント基板をノートパソコンに取り付ける際の配設構造を示す斜視図である。
【図５】図５は、同上のフレキシブルプリント基板の配設状態を示す断面図である。
【図６】図６は、同上のフレキシブルプリント基板の接続状態を示す断面図である。
【図７】図７は、同上のフレキシブルプリント基板の接続状態を示す断面図である。
【図８】図８は、同上のフレキシブルプリント基板の接続を説明するための平面図である。
【図９】図９は、同上のフレキシブルプリント基板の接続状態を示す平面図である。
【図１０】図１０は、キーボードユニットを裏面からみた状態を示す平面図である。
【図１１】図１１は、従来のフレキシブルプリント基板を被接続基板であるメンブレンシートに接続した状態を示す断面図である。
【発明を実施するための形態】
【００１４】
以下に、本発明にかかるフレキシブルプリント基板の実施の形態を図１〜図１０に基づいて詳細に説明する。
【００１５】
ここで例示するフレキシブルプリント基板１１は、図４〜図５に示すように、ノートパソコンＡにおいて、キーボードユニット４１のメンブレンシート（被接続基板）４２とマザーボード等のメイン基板５１とを電気的に接続するためのものである。キーボードユニット４１は、ノートパソコンＡにおいてメイン基板５１の上側に配設されている。特に、本実施の形態で例示するフレキシブルプリント基板１１は、キーボードユニット４１の後端部に形成されている接続部４５と、メイン基板５１の上面に形成されている端子部５２とを電気的に接続するものである。
【００１６】
キーボードユニット４１は、図７に示すように、底板４４と、底板４４の上面に重ねられて配設されたメンブレンシート４２と、メンブレンシート４２の上面に配設された所謂キーボードのキートップ４３とを有している。
【００１７】
メンブレンシート４２は、図６に示すように、それぞれ絶縁材によって成形した上側絶縁性シート（絶縁性シート）４２ａと下側絶縁性シート（絶縁性シート）４２ｂとを有している。上側絶縁性シート４２ａ及び下側絶縁性シート４２ｂは、互いに対向する面に所望の配線がなされており、互いの間に絶縁性のスペーサシート（図示せず）を介して互いに重ね合わされている。キートップ４３に対応する部位においては、スペーサシート（図示せず）が切り欠かれており、キートップ４３を押下した場合に上側絶縁性シート４２ａの接点部と下側絶縁性シート４２ｂの接点部とが接触し、両絶縁性シート４２ａ，４２ｂに設けられた回路が接続することになる。
【００１８】
メンブレンシート４２の端部には、キートップ４３が押下された信号を外部に出力するための接続部４５が形成されている。この接続部４５は、上側絶縁性シート４２ａに配設された被接続端子４５ａと、下側絶縁性シート４２ｂに配設された被接続端子４５ａとが対向するように配置された構造となっている。
【００１９】
この接続部４５を接続対象とするフレキシブルプリント基板１１は、ポリイミド等の絶縁体からなるシート状のベースフィルム１２の一方の表面にのみ銅箔等の導体によって配線パターン１３を形成し、更にその表面に保護層を設けて形成した、所謂片面印刷のものである。本実施の形態のフレキシブルプリント基板１１は、図１及び図２に示すように、シート状に形成され、その一端部にキーボード接続部１５が構成されている一方、このキーボード接続部１５から他端部に向けて二股状に分かれるように分岐し、第一延在部１６及び第二延在部１７を構成している。第一延在部１６の先端にはメイン基板接続部１８が形成され、第二延在部１７の先端にはスティック基板接続部１９が形成されている。
【００２０】
キーボード接続部１５には、ベースフィルム１２の一端縁から形成したスリット２１によって一端部が互いに左右に分断されており、このスリット２１を介して隣り合う部分に第一片部２２及び第二片部２３が構成されている。これら第一片部２２及び第二片部２３は、スリット２１の奥側部分に位置する折曲部２４によって互いに連結されている。
【００２１】
第一片部２２の一端部には、端子部２２ａ、折り返し部２２ｂ及び接着部２２ｃが順次構成されている。端子部２２ａは、複数の接続端子２５を第一片部２２の一端縁に沿って互いに並設することによって構成したものである。複数の接続端子２５は、いずれも上述した保護層に覆われておらず、接触することによって電気的に接続することが可能である。第一片部２２の折り返し部２２ｂは、キーボードユニット４１に接続される場合に折り曲げられる部分である。この折り返し部２２ｂには、一対の貫通孔２６及び一対の取付用溝２７が形成されている。貫通孔２６は、ベースフィルム１２の表裏を貫通するもので、第一片部２２の一端縁に沿って２つ並設されている。取付用溝２７は、第一片部２２において折り返し部２２ｂとなる部位の両端からそれぞれ形成した溝状の切欠である。第一片部２２の接着部２２ｃには、位置決め用孔２８が形成されている。位置決め用孔２８は、第一片部２２の表裏を貫通するよう形成したものである。
【００２２】
第二片部２３は、スリット２１及び折曲部２４を通る折曲線Ｌを介して折り返した際に、第一片部２２に重なるように形成した部分である。この第二片部２３にも第一片部２２と同様に、一端部に端子部２３ａ、折り返し部２３ｂ及び接着部２３ｃが順次構成されている。端子部２３ａは、複数の接続端子２５を第二片部２３の一端縁に沿って互いに並設することによって構成したものである。複数の接続端子２５が保護層によって覆われていないのは、第一片部２２と同様である。図１からも明らかなように、この第二片部２３の接続端子２５は、ベースフィルム１２において第一片部２２の接続端子２５と同一となる表面に配設されている。第二片部２３の折り返し部２３ｂにも、一対の貫通孔２６及び一対の取付用溝２７が形成されている。貫通孔２６は、ベースフィルム１２の表裏を貫通するもので、第二片部２３の一端縁に沿って２つ並設されている。取付用溝２７は、第二片部２３において折り返し部２２ｂとなる部位の両端からそれぞれ形成した溝状の切欠である。第二片部２３の接着部２３ｃには、位置決め用孔２８が形成されている。位置決め用孔２８は、第二片部２３の表裏を貫通するよう形成したものである。
【００２３】
これら貫通孔２６、取付用溝２７及び位置決め用孔２８は、折曲線Ｌを挟んで互いに対称となる位置に形成されており、該折曲線Ｌを介して折り返した際にそれぞれが互いに重なることになる。即ち、図３に示すように、折曲線Ｌを介して第二片部２３を第一片部２２に重なるように折り返した際には、端子部２３ａと端子部２２ａ、折り返し部２３ｂと折り返し部２２ｂ、接着部２３ｃと接着部２２ｃが、それぞれ重なるようになっており、第一片部２２に形成された貫通孔２６、取付用溝２７及び位置決め用孔２８が、それぞれ第二片部２３に形成された貫通孔２６、取付用溝２７及び位置決め用孔２８とそれぞれ重なり合うようになっている。但し、本実施の形態では、第一片部２２の端子部２２ａを第二片部２３よりも僅かに長くなるように形成してある。従って、図３に示すように、折曲線Ｌを介して第二片部２３を第一片部２２に重なるように折り返した際には、第一片部２２の端子部２２ａが第二片部２３の端子部２３ａよりも僅かに突出することになる。
【００２４】
尚、第一延在部１６にはその延在端部にメイン基板５１に接続するためのメイン基板接続部１８が設けられ、第二延在部１７にはその延在端部に、図１０に示すポインティングスティックが装着されたスティック基板６１に接続するためのスティック基板接続部１９が設けられている。
【００２５】
上記のように構成したフレキシブルプリント基板１１は、メンブレンシート４２の接続部４５に接続する際、第一片部２２と第二片部２３とを折曲線Ｌを介して２つ折りに重ねた状態として用いる。この場合、第一片部２２の接続端子２５と第二片部２３の接続端子２５とがそれぞれ外側に位置するように第一片部２２と第二片部２３とを折り重ねれば、メンブレンシート４２において各絶縁性シート４２ａ，４２ｂの互いに対向する面に配設された個々の被接続端子４５ａ、つまり、絶縁性シート４２ａ，４２ｂの互いに異なる面に配設された個々の被接続端子４５ａに接続する接続端子２５を備えたフレキシブルプリント基板１１が構成されることになる。
【００２６】
折曲線Ｌを介して第一片部２２と第二片部２３とを２つ折りに重さねる際には、第一片部２２及び第二片部２３のそれぞれに設けた位置決め用孔２８に一本の棒状の位置決め具を貫通させれば、相互の位置を正確に位置決めすることができるようになる。両者の位置決めが完了した場合には、第一片部２２と第二片部２３とを互いの接着部２２ｃ，２３ｃを介して接着剤３１により接着すれば良い。
【００２７】
図５〜図７は、メンブレンシート４２に対してフレキシブルプリント基板１１を接続させた状態の要部を示すものである。端子部２２ａ，２３ａをメンブレンシート４２の接続部４５に挿入したフレキシブルプリント基板１１は、図５及び図７に示すように、その折り返し部２２ｂ，２３ｂを介して折り曲げ、第一延在部１６及び第二延在部１７を底板４４の下側に配置させる。この場合、第一片部２２の端子部２２ａを第二片部２３の端子部２３ａよりも僅かに長く形成してあるため、第一片部２２が外周側となるように折り曲げれば、折り曲げた状態において第一片部２２における端子部２２ａの端縁と第二片部２３における端子部２３ａの端縁とを互いに揃えることができる。また、第一片部２２及び第二片部２３においては、接着部２２ｃ，２３ｃよりも一端部側に端子部２２ａ，２３ａ及び折り返し部２２ｂ，２３ｂという非接着領域が確保されることになる。従って、折り返し部２２ｂ，２３ｂで折り返す場合に端子部２２ａ，２３ａ及び折り返し部２２ｂ，２３ｂが相互に移動できるため、その作業を容易に行うことができるばかりか、外周側に配置される第一片部２２の配線パターン１３に負荷が加えられる事態を防止することができる。
【００２８】
図８及び図９に示すように、フレキシブルプリント基板１１をメンブレンシート４２の接続部４５に接続する際には、フレキシブルプリント基板１１の取付用溝２７にキーボードユニット４１の底板４４に形成された一対の突条部４４ａを係合させれば、底板４４を介してメンブレンシート４２との位置決めを行うことが可能である。すなわち、フレキシブルプリント基板１１の取付用溝２７を突条部４４ａに係合させた場合には、底板４４に対するフレキシブルプリント基板１１の前後方向及び左右方向の位置が規定される。従って、底板４４に対してメンブレンシート４２が前後方向及び左右方向に位置決め配置された状態であれば、メンブレンシート４２とフレキシブルプリント基板１１との位置決めを行うことができ、メンブレンシート４２の被接続端子４５ａとフレキシブルプリント基板１１の接続端子２５とが正確に接続されることになる。
【００２９】
メンブレンシート４２に接続した後のフレキシブルプリント基板１１は、底板４４の下側において第一延在部１６の延在方向中央付近で更に反対方向に折り返され、その折り返された先端部のメイン基板接続部１８が端子部５２に接続される。メイン基板接続部１８は、メイン基板接続部１８に設置された接続ソケット１８ａを介して端子部５２に接続される。このようにフレキシブルプリント基板１１は、折り返しが可能であるので、メイン基板５１上におけるメイン基板５１端子部５２の設置位置にある程度の自由度を持たせることが可能である。
【００３０】
以上のように、上述したフレキシブルクリント基板１１によれば、ベースフィルム１２の同一側となる表面に接続端子２５，２５を設け、これらの接続端子２５，２５が互いに外側となる面に配置されるようにスリット２１を介して第一片部２２と第二片部２３とを二つ折りに重ねて接着するようにしているため、構造が簡単な片面印刷によって製造することができ、上側絶縁性シート４２ａ及び下側絶縁性シート４２ｂのそれぞれに被接続端子４５ａを有したメンブレンシート４２を安価に提供することが可能となる。
【００３１】
尚、上述した実施の形態では、互いに対向する一対の絶縁性シート４２ａ，４２ｂを有するとともに、各絶縁性シート４２ａ，４２ｂの互いに対向する面にそれぞれ被接続端子４５ａを有したメンブレンシート４２を接続対象としたフレキシブルプリント基板を例示しているが、本発明はこれに限定されない。例えば、一枚の絶縁性シートの表裏両面にそれぞれ被接続端子を有した被接続基板を接続対象とすることも可能である。この場合、例えば実施の形態で示したフレキシブルプリント基板１１をそのまま適用し、第一片部２２の接続端子２５と第二片部２３の接続端子２５とがそれぞれ互いに内側に位置するように第一片部２２と第二片部２３とを折り重ねれば対応することが可能である。
【符号の説明】
【００３２】
１１    フレキシブルプリント基板
１２    ベースフィルム
１３    配線パターン
１５    キーボード接続部
１６    第一延在部
１７    第二延在部
１８    メイン基板接続部
１８ａ  接続ソケット
１９    スティック基板接続部
２１    スリット
２２    第一片部
２２ａ    端子部
２２ｂ    折り返し部
２２ｃ    接着部
２３    第二片部
２３ａ    端子部
２３ｂ    折り返し部
２３ｃ    接着部
２４    折曲部
２５    接続端子
２６    貫通孔
２７    取付用溝
２８    位置決め用孔
３１    接着剤
４１    キーボードユニット
４２    メンブレンシート
４２ａ    上側絶縁性シート
４２ｂ    下側絶縁性シート
４３    キートップ
４４    底板
４４ａ    突条部
４５    接続部
４５ａ    被接続端子
５１    メイン基板
５２    メイン基板端子部
５２    端子部
６１    スティック基板
【図１】
2010287658.tif 000003
【図２】
2010287658.tif 000004
【図３】
2010287658.tif 000005
【図４】
2010287658.tif 000006
【図５】
2010287658.tif 000007
【図６】
2010287658.tif 000008
【図７】
2010287658.tif 000009
【図８】
2010287658.tif 000010
【図９】
2010287658.tif 000011
【図１０】
2010287658.tif 000012
【図１１】
2010287658.tif 000013